(57)【特許請求の範囲】
【請求項１】
コネクタボディ内への挿入によって電気的に接続されるカードを備え、
前記コネクタボディは、前記カードの電気接点に接触する接点部を有する端子部材が設けられたハウジングと、そのハウジングを覆うメタルシェルと、そのメタルシェルとハウジングとの間に設けられたカード挿入口と、前記カードの挿入態様が正常でないときにカードの挿入途中でカードの挿入を阻止する誤挿入防止機構とを備え、
前記誤挿入防止機構は、前記カードの挿入途中でカードを前記メタルシェル側へ変位させる変位手段と、その変位手段により変位したカードの端部に突き当ててカードの挿入を阻止するストッパ手段とを備え、そのストッパ手段は前記メタルシェルに設けられ、
前記カードの変位手段は、ハウジングの幅方向に間隔をおいて配置された第１変位手段と第２変位手段とを含み、それら第１変位手段及び第２変位手段は、それぞれが前記ハウジングに設けられたリブにより構成されている、カードコネクタ。
【請求項２】
前記カードの変位手段は、カードの端部が前記端子部材の接点部に到達する前に、接点部から離れる方向へ変位させるように設定されている、請求項１記載のカードコネクタ。
【請求項３】
前記リブは、前記カードの挿入方向に向かうに従って前記ストッパ手段側へ向かうガイド斜面を備えている、請求項１又は２に記載のカードコネクタ。
【請求項４】
前記メタルシェルは、前記コネクタボディの表面を覆う上板部と左右の側板部とを備え、前記ストッパ手段は、前記上板部に設けられた開口部を含み、その開口部の縁部分に前記カードの端部がカード挿入途中で突き当たるように設定されている、請求項１から３の何れか１項に記載のカードコネクタ。
【請求項５】
前記開口部の縁部分は前記端子部材の接点部よりもカードの挿入口側に位置している、請求項４記載のカードコネクタ。
【請求項６】
前記カードの挿入態様が正常であるとき、前記カード挿入口の正面形状と、前記カードの挿入方向の端面形状とが互いに合致している、請求項１から５の何れか１項に記載のカードコネクタ。
【請求項７】
前記カードの両側部に、カードの長さ方向に延びる薄肉部分が形成され、その薄肉部分はカードの裏面に設けた段差部によって形成されている、請求項１から６の何れか１項に記載のカードコネクタ。
【請求項８】
前記開口部の縁部分は、ハウジングの幅方向に延びる直線部に形成され、その直線部の長さ寸法β２が、前記カードの両側に設けた薄肉部分を含む最大幅寸法α２よりも大きく設定されている、請求項４又は５に記載のカードコネクタ。
【請求項９】
前記メタルシェルの上板部には、前記カード挿入口と前記開口部との間に、ハウジングの幅方向に延びる帯板部分が存在している、請求項４又は５に記載のカードコネクタ。
【請求項１０】
前記開口部の縁部分のうち、前記カードの端部の角部分が突き当たるのに必要な長さの縁部分を残すための小開口部をメタルシェルの上板部に設けて開口部の面積を小さく形成した、請求項４、５、８、９の何れか１項に記載のカードコネクタ。
【発明の詳細な説明】
【０００１】
【発明の属する技術分野】
本発明は、小型で薄型のカード形デバイスを接続するカードコネクタに関し、特に、カードの誤挿入防止機構を備えたカードコネクタの技術に関する。
【０００２】
【従来の技術】
コネクタボディーに対するカードのセット位置への挿入と、セット位置からの排出とを、いわゆるプッシュ・プッシュ操作によって行う方式のイジェクト装置を備えたカードコネクタが知られている。
【０００３】
この種のカードコネクタは、実開平１−７５９８３号、実開平１−１５０３８７号公報等に記載されている。これらの公報に記載されているカードコネクタにおいては、カード側の電気接点端子に対応する接点を備えた端子部材がコネクタボディに組み込まれれている。更に、このコネクタボディーには、スライダをカードの挿入方向の前後にスライド自在に保持させている。そして、カードを挿入することにより、カードの先端がスライダ側の係合部に突き当たり、そのスライダがカードと共に押し込まれるように設計されている。
【０００４】
また、プッシュ・プッシュ操作を可能にするために、カム機構が採用されている。このカム機構は、カム部とそのカム部に対応するピン部材との組み合わせで構成されていて、スライダの下面とその下面に対応するコネクタボディの底面とに振り分けて配備されている。このカード用コネクタでは、カム部とピン部材とをコネクタボディーの厚さ方向に振り分けて配備しているため、カード用コネクタ全体の薄型化を図り難い。
【０００５】
この点に配慮したカードコネクタとして、例えば特開平１１−１３５１９２号公報に記載されたものが知られている。この公報に記載のカードコネクタでは、スライダを、その前進位置と後退位置、及びそれらの中間位置とに択一的に位置決めするためのカム機構を装備している。そして、カム機構のカム部とピン部材とを、スライダの側部とその側部に対向するコネクタボディの側壁とに振り分けて配置することで薄型化を図っている。
【０００６】
この種のカードコネクタの中でも、特に近年において注目されている、小型・薄型カード用のコネクタにおいては、長さ数センチ程度のメモリスティックを含む、より小型のカードが用いられている。そのため、このタイプのカードコネクタでは、これを搭載する電子機器（例えばモバイルコンピュータ、デジタルカメラ、携帯型デジタルビデオカメラ等）の小型化、軽量化に寄与するために、カードコネクタ自体のさらなる小型化、及び薄型化を図っている。
【０００７】
【発明が解決しようとする課題】
ところで、このプッシュ・プッシュ式のイジェクト装置を備えたカード用のコネクタでは、カードサイズが小さいために、カード自体の前後、表裏の区別が付きにくい。そのため、カードの挿入態様が正常であるか否かの判断も付きにくい。このことから、既存のカードコネクタでは、次の（１）〜（３）に示す誤挿入パターンが発生していた。
【０００８】
（１）  コネクタボディに対するカードの前後逆挿入による誤挿入。
（２）  コネクタボディに対するカードの表裏逆挿入による誤挿入。
（３）  カードの前後逆挿入＋カードの表裏逆挿入（（１）＋（２））。
【０００９】
こうした誤挿入が発生すると、コネクタボディーに設けてある端子部材や、その端子部材に接触させるカードの電気接点を損傷させたり曲げたりする原因を招く。
【００１０】
ここで、（２）の表裏逆挿入に対する防止策については既に採用されている場合もある。例えば、コネクタボディのカード挿入口の形状とカードの端面形状とを同一形状（相似形）として表裏逆挿入を防止する方法である。既存のカードは、その両側面に、カードの厚さを異ならせるための段差部を設けている。これに対応させてカード挿入口の形状を設定している。
【００１１】
従って、原理的にはカードを表裏逆に挿入できない構成である。しかし、実際には、カードを強めに挿入するとシールドシェルの上板部がハウジングから離れる方向へ若干湾曲するために、カードの挿入態様が表裏逆の場合でも挿入可能となる構成である。
【００１２】
カードの誤挿入を防止するという観点からすれば、シールドシェルを補強したり、誤挿入防止部材を別途設ければ良い。しかし、それだけでは、コネクタの小型化、薄型化に大きな影響を及ぼす。
【００１３】
本出願の発明者等による調査及び検討結果によると、上記（１）〜（３）に示すカードの誤挿入パターンのうち、（１）の前後逆挿入パターンが最も多い誤挿入パターンであることが判明した。その理由として、カードの挿入態様が正常である場合と殆ど変わりなく挿入操作を行うことができる点を挙げることができる。
【００１４】
しかしながら、このようにカードの前後逆挿入操作を行われると、特に、コネクタボディ側の端子部材にダメージを与えてしまう問題がある。従って、第１にこの点の解決策が望まれる。
【００１５】
よって、本発明の課題は、コネクタボディの小型化、薄型化に配慮つつ、簡易な方法でカードの誤挿入防止機能を確実に発揮させることができるカードコネクタを提供することにある。
【００１６】
【課題を解決するための手段】
本発明は、コネクタボディ内への挿入によって電気的に接続されるカードを備え、コネクタボディは、カードの電気接点に接触する接点部を有する端子部材が設けられたハウジングと、そのハウジングを覆うメタルシェルと、そのメタルシェルとハウジングとの間に設けられたカード挿入口と、カードの挿入態様が正常でないときにカードの挿入途中でカードの挿入を阻止する誤挿入防止機構とを備え、誤挿入防止機構は、カードの挿入途中でカードをメタルシェル側へ変位させる変位手段と、その変位手段により変位したカードの端部に突き当ててカードの挿入を阻止するストッパ手段とを備え、そのストッパ手段はメタルシェルに設けられている構成とした。
【００１７】
本発明によれば、カードの挿入途中でカードをメタルシェル側へ変位させる変位手段と、その変位手段により変位したカードの端部に突き当ててカードの挿入を阻止するストッパ手段とを備えるカードの誤挿入防止機構を設けている。これにより、挿入口に対するカードの挿入態様が正常でないときに、カードの挿入途中でカードの挿入を確実に阻止することができる。また、ストッパ手段をメタルシェルに設けているので、メタルシェルが外力により若干湾曲しても誤挿入防止機能は確実に発揮される。
【００１８】
前記カードの変位手段は、カードの端部が端子部材の接点部に到達する前に、接点部から離れる方向へ変位させるように設定されていることが望ましい。そのように設定すれば、カードの端部が端子部材の接点部に強く接触するのを未然に防止することができる。
【００１９】
さらに、カードの変位手段は、ハウジングの幅方向に間隔をおいて配置された第１変位手段と第２変位手段とを含み、それら第１変位手段および第２変位手段は、それぞれがハウジングに設けられたリブで構成されていることが望ましい。変位手段は一つでも良いが、間隔をおいて２つ設けた場合、その機能をさらに確実なものにるすことができる。また、通常、ハウジングは樹脂製であり、ハウジングの成形時に一緒にリブを形成することができるからである。したがって、変位手段のための部材を別途に設けなくても済む構成とすることが可能なる。
【００２０】
前記リブは、カードの挿入方向に向かうに従ってストッパ手段側へ向かうガイド斜面を備えていることが望ましい。ガイド斜面によって、カードを確実にストッパ手段側へ変位させることができるからである。また、単なる斜面であるのでリブの成形時に同時に形成しておくことができる。
【００２１】
前記メタルシェルは、コネクタボディの表面を覆う上板部と左右の側板部とを備え、ストッパ手段は、上板部に設けられた開口部を含み、その開口部の縁部分にカードの端部がカード挿入途中で突き当たるように設定されていることが望ましい。このように構成すれば、メタルシェルに開口部を設けるだけで済むので、ストッパ手段として特別な部材を別途に設けることなく、簡易な手段でこれを実現することができる。
【００２２】
前記開口部の縁部分は端子部材の接点部よりもカードの挿入口側に位置していることが望ましい。このようにすれば、カードの端部が接点部に到達する前に、カードのそれ以上の挿入を阻止することができるからである。これにより接点部を保護することができる。
【００２３】
前記カードの挿入態様が正常であるとき、カード挿入口の正面形状と、カードの挿入方向の端面形状とが互いに合致していることが望ましい。このようにすれば、カードの挿入態様が正常な場合にはカードの挿入が許容され、正常でない場合にはカードの挿入が規制される。特に、前後逆挿入の場合にも正常な挿入と同様に最初は無理なく挿入可能であるが、途中で挿入不可能となり、端子部材が保護される。
【００２４】
前記カードの両側部に、カードの長さ方向に延びる薄肉部分が形成され、その薄肉部分はカードの裏面に設けた段差部によって形成されていることが望ましい。カードの両側部に薄肉部分を形成した場合、カードの端面が長方形にならない。即ち、厚肉部分に対する薄肉部分によってキー部分が形成される。
【００２５】
前記開口部の縁部分は、ハウジングの幅方向に延びる直線部に形成され、その直線部の長さ寸法β２がカードの両側に設けた薄肉部分を含む最大幅寸法α２よりも大きく設定されていることが望ましい。このように設定すれば、カードの端部が開口部から突出しやすい形態となる。これにより、前後逆の挿入態様においてカードの端部が直線部に突き当たる。
【００２６】
前記メタルシェルの上板部には、前記カード挿入口と前記開口部との間に、ハウジングの幅方向に延びる帯板部分が存在する構成とすることが望ましい。帯板部分は湾曲しやすいので、カードの端部が開口部の縁部分に当接しやすい形態となる。即ち、帯板部分の湾曲量が多いほど、カードはハウジングから離れる方向へ変位する。従って、その先にある縁部分にカードの端部がより確実に突き当たる構成となる。
【００２７】
前記開口部の縁部分のうち、カードの端部の角部分が突き当たるのに必要な長さの縁部分を残すための小開口部をメタルシェルの上板部に設けて開口部の面積を小さく形成することもできる。このように構成すれば、メタルシェルの上板部の中央部又は中央部付近に吸盤や電磁石等による吸着領域を確保することが容易になる。これにより、コンタクトの実装作業性等に配慮することができる。
【００２８】
【発明の実施の形態】
以下、本発明を圧肉部と薄肉部を有するカード用のコネクタに適用した実施の形態について説明する。図１は本発明の実施の形態１に係るコネクタボディの平面図である。図２はそのコネクタボディに対するカードの挿入態様が正常でない場合（前後逆挿入）を示す平面図である。図３はハウジングの平面図である。図４はカード挿入口側から見た正面図である。
【００２９】
このカードコネクタ１は、全体として平面ほぼ矩形に形成されている。コネクタ１は、コネクタボディＢ内に挿入されるカードＣのイジェクト装置ＥＪを備えている。コネクタボディＢは、カードＣの挿入口２１を有するハウジング２と、そのハウジング２を覆うメタルシェル３とで構成されている。ハウジング２は絶縁性樹脂にて形成され、底板部２ａと、左右の側壁部分２２、２３と、ハウジング２の一端部側に寄せて設けた端子装着部２４とを有する。
【００３０】
メタルシェル３は、バネ性のある薄い金属板の打ち抜き及び曲げ加工により形成され、上板部３１と、左右の側板部３２、３３とを有する。このメタルシェル３はコネクタ全体の電磁シールド機能を発揮できるように導電性金属板により形成されている。
【００３１】
端子装着部２４には、カードＣの電気接点ｅと接触する接点部４ａを有する端子部材４が複数組み込まれている。これらの端子部材４はハウジング２の幅方向に間隔をおいて設けられている。各端子部材４は、カードＣの電気接点ｅに接触する接点部４ａの他に、図示しない回路基板に接続されるソルダーテール４ｂを備えている。接点部４ａ及びソルダーテール４ｂは、カードＣの挿入口２１よりもカードＣの挿入方向（反対側）へ離れた位置に配置されている。
【００３２】
この実施の形態では、コネクタボディＢ内への挿入によって電気的に接続されるカードＣの誤挿入防止機構が装備されている。即ち、コネクタボディＢは、カードＣの電気接点ｅに接触する接点部４ａを有する端子部材４が設けられたハウジング２と、そのハウジング２を覆うメタルシェル３と、そのメタルシェル３とハウジング２との間に設けられたカード挿入口２１と、カードＣの挿入態様が正常でないときにカードＣの挿入途中でカードＣの挿入を阻止する誤挿入防止機構とが設けられている。
【００３３】
この誤挿入防止機構は、カードＣの挿入途中でカードＣをメタルシェル３側へ変位させる変位手段を構成する第１変位手段２０１及び第２変位手段２０２と、それらの変位手段により変位したカードＣの端部１０に突き当ててカードＣの挿入を阻止するストッパ手段３０とを備えている。そして、ストッパ手段３０はメタルシェル３に設けられている。
【００３４】
カードＣの第１変位手段２０１は、図１〜図３に示すように、ハウジング２に設けられたリブで構成されている。ハウジング２は絶縁性樹脂で形成されている。従って、ハウジング２の成形時に一緒にリブを形成することで、第１変位手段２０１及び第２変位手段２０２を設けている。これにより、各変位手段のための部材を別途に設けなくても済む構成としている。
【００３５】
第１変位手段２０１としてのリブは、カードＣの挿入時において、カードＣの端部１０が端子部材４の接点部４ａに到達する前に、接点部４ａから離れる方向へ変位させるように設定されている。具体的には、第１変位手段２０１を構成するリブは、カードＣの挿入口２１側から見て、一番右側になる９番目の端子部材４の奥に設けられている。
【００３６】
この第１変位手段２０１は、図３に示すように適宜な高さを有するリブで形成され、挿入口２１側の端部２０１ａを有する。この端部２０１ａは、後述する開口部３５の縁部分３５ａよりも開口部２１側に位置している。従って、前後逆に挿入されたカードＣの端部１０はこの端部２０１ａ部分で上方（上板部３１側）へ持ち上げられる。その結果として、カードＣの端部１０は縁部分３５ａに突き当たるように設計されている。第１変位手段２０１は端子部材４の接点部４ａをリブの厚さ方向に逃がすための溝２０１ｂを備えている。
【００３７】
もう一方の第２変位手段２０２は、挿入口２１側から見て左側（７番と８番の間）に配置されている。この第２変位手段２０２としてのリブは、カードＣの挿入方向に向かうに従ってストッパ手段３０側へ向かうガイド斜面２０２ｇを備えている。このガイド斜面２０２ｇによって、カードＣをより確実にストッパ手段３０側へ変位させることができるように構成している。このガイド斜面２０２ｇも単なる斜面であるのでリブの成形時に同時に形成しておくことができる。
【００３８】
また、このようにストッパ手段３０をメタルシェル３に設けることで、メタルシェル３が外力により若干湾曲しても誤挿入防止機能が確実に発揮されるように配慮している。
【００３９】
ストッパ手段３０は、メタルシェル３の上板部３１に設けられた開口部３５を含み、その開口部３５の縁部分３５ａにカードＣの端部１０がカード挿入途中で突き当たるように設定されている。このように構成することにより、メタルシェル３に開口部３５を設けるだけで済む。従って、ストッパ手段３０として特別な部材を設けることなく簡易な手段でこれを実現することができる。
【００４０】
開口部３５の縁部分３５ａは、端子部材４の接点部４ａよりもカードＣの挿入口２１側に位置してる。これは、カードＣの端部１０が接点部４ａに到達する前に、カードＣのそれ以上の挿入を阻止し、接点部４ａを保護できるように配慮したものである。
【００４１】
図５に示すように、カードＣの挿入態様が正常であるとき、挿入口２１の正面形状と、カードＣの挿入方向の端面形状（図５においてハッチングで示す形状とほぼ同様）とが互いに合致している。この構成によって、カードＣの挿入態様が正常な場合にはカードＣの挿入が許容され、正常でない場合にはカードＣの挿入が規制（防止）される。しかも、カードＣの挿入態様が正常でない場合に無理に挿入しても、開口部３５の縁部分３５ａでカードＣの挿入が規制される。
【００４２】
カードＣの具体的形状について説明する。カードＣの両側部には、図２及び図５に示すように、カードＣの長さ方向に延びる薄肉部分１１が形成され、その薄肉部分１１はカードＣの裏面に設けた段差部１１ａによって形成されている。カードＣの両側部に薄肉部分１１を形成することで、カードＣの端面（端部）１０が長方形にならない。即ち、厚肉部分１２に対する薄肉部分１１によってキー部分が形成されている。従って、カードＣの挿入口２１の内壁には、段差部１１ａに向かって進入する凸部２２ａ、２３ａがそれぞれ設けられている
【００４３】
開口部３５の縁部分３５ａは、ハウジング２の幅方向に延びる直線部（ここでは縁部分と同じ部分）に形成され、その縁部分３５ａの長さ寸法β２がカードＣに設けた一方の薄肉部分１１を含む幅寸法α２よりも大きく設定されている（図１参照）。開口部３５には、縁部分３５ａの長さ寸法β２よりも短い寸法β１部分が形成されている。この設定によって、カードＣの端部１０が開口部３５から突出しやすい形態となる。これにより、図２に示す前後逆の挿入態様においてカードＣの端部１０が縁部分３５ａに突き当たるようにしている。
【００４４】
メタルシェル３の上板部３１には、カードＣの挿入口２１と開口部３５との間に、ハウジング２の幅方向に延びる帯板部分３６が存在する構成としている。この帯板部分３６は湾曲しやすいので、カードＣの端部１０が開口部３５の縁部分３５ａに当接しやすい形態となる。即ち、帯板部分３６の湾曲量が多いほど、カードＣはハウジング２から離れる方向へ変位する。従って、その先にある縁部分３５ａにカードＣの端部１０がより確実に突き当たる構成とすることができる。
【００４５】
帯板部分３６は、図１に示すように、その長さ方向の両端部よりも中央部付近の幅が狭く形成されている。このように形成することで、帯板部分３６をさらに湾曲しやすい形態とすることができる  開口部３５は、縁部分３５ａを長辺とする平面ほぼ矩形に形成されている。このように形成することによって、開口部３５自体の機能を有効に発揮させることができる。
【００４６】
また、この実施の形態では、開口部３５のハウジング２の長さ方向に対応する寸法β３は、帯板部分３６の幅寸法β４よりも大きく設定されている。このように設定したのは、帯板部分３６の湾曲作用を利用してカードＣの端部１０を開口部３５の縁部分３５ａにより確実に突き当てることが可能になるからである。即ち、寸法β３が小さすぎると、縁部分３５ａが帯板部分３６に近づきすぎる。その結果、帯板部分３６の機能が効果的に発揮されなくなる場合も考えられるからである。
【００４７】
カードＣの電気接点ｅは、カードＣの挿入方向に間隔をおいてカードＣの片面（表面）に２列配置され、各列がカードＣの幅方向に延びている（図２参照）。これは、電気接点ｅがカードＣの片面に配列されているものでは、両面に設ける場合に比べてコネクタの小型化、薄型化に配慮しやすい形態となるからである。即ち、電気接点ｅをカードＣの両面に設けた場合、端子部材４もハウジング２に対して二段に設けなければならなくなり、その分、コネクタ自体が厚くなるからである。
【００４８】
イジェクト装置ＥＪは、カードＣの挿入に伴って押し込まれると共にカードＣの装着位置である前進位置とカードＣの挿入初期位置である後退位置との間でスライドするスライダ５と、そのスライダ５をカードＣの後退位置側へ戻すように付勢するコイルスプリング６と、スライダ５のスライド動作を規制するカム機構７とによって構成されている（図１参照）。
【００４９】
カム機構７は、スライダ５の表面に設けられ、スライダ５の前進位置を決める第１のガイド溝と、スライダ５の後退位置を決める第２のガイド溝（何れも図示せず）と、各ガイド溝に沿って案内され、スライダ５のスライド位置を決定するピン部材８とを備えている。そして、スライダ５は、ハウジング２の側部に沿って設けた凹部内に収容され、メタルシェル３で覆われている。
【００５０】
この実施の形態では、カードＣを図２に示すように、前後逆挿入（尻挿入）した場合、第１変位手段２０１の端面２０１ａ及び第２変位手段２０２のガイド斜面２０２ｇによってカードＣの端部１０が持ち上げられるように変位し、その端部１０が開口３５の縁部分３５ａに突き当たり、それ以上の挿入が阻止される。第１変位手段２０１、第２変位手段２０２及びストッパ手段３０が設けられている位置は接点部４ａよりも手前側であるから、各接点部４ａは確実に保護される。
【００５１】
カードＣの挿入態様が正常な場合には、第１変位手段２０１、第２変位手段２０２及びストッパ手段３０は殆ど機能しなくなり、通常のセット位置まで挿入可能となる。
【００５２】
図６及び図７は本発明の他の実施の形態を示す平面図である。なお、これらの図において、先の実施の形態と同一の構成要素については同一の符号を付して、その説明を簡略化する。
【００５３】
この実施の形態では、メタルシェル３の上板部３１に設けた開口部４５の構成が先の実施の形態と相違し、その他の構成については、基本的に同一である。即ち、開口部４５は、ハウジング２の長さ方向に対応する長さ寸法β５を小さく形成した矩形状とし、代わりに小開口部５５を備えた構成となっている。
【００５４】
小開口部５５は、概略三角形状で、ハウジング２の幅方向に延びる縁部分５５ａを有している。この縁部分５５ａは、先の実施の形態で示した開口部３５の縁部分３５ａと一致する位置に存在している。ただ、小開口部５５はハウジング２の幅方向の片側（９番の端子部材４側）に寄せた位置に設けられている。小開口部５５の縁部分５５ａの長さ寸法は図１の縁部分３５ａのそれよりも短い。
【００５５】
小開口部５５と開口部４５との間には上板部３１の一部分５６が存在している。この一部分５６もその弾力性で湾曲しやすい帯板形状となっている。縁部分５５ａは端子部材４の接点部４ａよりも挿入口２１側へ位置している。
【００５６】
即ち、この実施の形態では、開口部３５の縁部分３５ａのうち、カードＣの端部１０の角部分が突き当たるのに必要な長さの縁部分５５ａを残すための小開口部５５をメタルシェル３の上板部３１に設けて開口部４５の面積を小さく形成している。このように構成したのは、メタルシェル３の上板部３１の中央部又は中央部付近に吸盤や電磁石等による吸着領域Ｐを確保することを容易にするためである。これにより、コンタクトの実装作業性等に配慮することができる。
【００５７】
【発明の効果】
以上のように、本発明のカードコネクタによれば、小型化、薄型化に配慮つつ、簡易な方法でカードの誤挿入防止機能を確実に発揮させることができるといった優れた効果を奏する。特に、カードの挿入態様が正常である場合と殆ど変わりなく挿入操作を行うことができるパターンである前後逆挿入パターンに対して効果的に機能させることができる。
【図面の簡単な説明】
【図１】本発明の実施の形態に係るカードコネクタの平面図である。
【図２】本発明の実施の形態に係るカードコネクタのカードの前後逆挿入パターを示す平面図である。
【図３】本発明の実施の形態に係るカードコネクタのハウジングの平面図である。
【図４】本発明の実施の形態に係るカードコネクタの挿入口側から見た正面図である。
【図５】本発明の実施の形態に係るカードコネクタの挿入口とカードとの関係を示す正面図である。
【図６】本発明の他の実施の形態に係るカードコネクタの平面図である。
【図７】本発明の他の実施の形態に係るカードコネクタのカードの前後逆挿入パターを示す平面図である。
【符号の説明】
１  コネクタ
２  ハウジング
２ａ  底板部
２０１  第１変位手段
２０１ａ  端面
２０２  第２変位手段
２０２ｇ  ガイド斜面
２１  挿入口
２２  側壁部
２３  側壁部
２２ａ、２３ａ  凸部
３  メタルシェル
３０  ストッパ手段
３１  上板部
３２、３３  側板部
４  端子部材
４ａ  接点部
４ｂ  ソルダーテール
５  スライダ
６  コイルスプリング
７  カム機構
８  ピン部材
１０  端部
１１  薄肉部分
１１ａ  段差部
１２  厚肉部分
Ｂ  コネクタボディ
Ｃ  カード
ｅ  電気接点
ＥＪ  イジェクト装置
【図１】
0004646449.tif 000002
【図２】
0004646449.tif 000003
【図３】
0004646449.tif 000004
【図４】
0004646449.tif 000005
【図５】
0004646449.tif 000006
【図６】
0004646449.tif 000007
【図７】
0004646449.tif 000008